(57)【要約】【課題】本発明は、寝具、カーペット等に生息しているダニやカビや細菌を除去する電気掃除機を提供することである。【解決手段】本発明による電気掃除機は、本体外部の空気を本体内部に導入する空気導入手段と、空気導入手段によって本体内部に導入した空気を所望の温度まで暖める空気加熱手段と、加熱手段によって所望の温度まで暖めた空気を被清掃物に向けて放出する空気放出手段を有している。所望の温度まで暖めた空気を被清掃物に向けて放出することで、生息しているダニやカビや細菌を死滅させて、電気掃除機の吸引力によって除去する。【選択図】図１
2017070691.tif 000002
【特許請求の範囲】
【請求項１】
本体外部の空気を本体内部に導入する空気導入手段と、
前記空気導入手段によって本体内部に導入した空気を所望の温度まで暖める空気加熱手段と、
前記加熱手段によって所望の温度まで暖めた空気を被清掃物に向けて放出する空気放出手段と、
を有することを特徴とする電気掃除機。
【請求項２】
前記空気導入手段によって本体内部に導入した空気を除湿する除湿手段を有し、
前記空気放出手段は、前記除湿手段で除湿した空気を被清掃物に向けて放出する、
ことを特徴とする請求項１に記載の電気掃除機。
【請求項３】
前記空気導入手段によって本体内部に導入した空気をイオン化するイオン化手段を有し、
前記空気放出手段は、前記イオン化手段でイオン化した空気を被清掃物に向けて放出する、
ことを特徴とする請求項１または請求項２に記載の電気掃除機。
【請求項４】
電気掃除機であって、
電気掃除機の使用状態において、５０℃以上の温度になる場合がある熱伝導部を備え、
前記熱伝導部は、電気掃除機の使用状態において、被清掃物と接触する位置に配置される、
ことを特徴とする電気掃除機。
【発明の詳細な説明】
【技術分野】
【０００１】  本発明は、電気掃除機に関する。
【背景技術】
【０００２】  従来、寝具、カーペット等に生息しているダニやカビを紫外線照射や叩き出しによって除去する電気掃除機があった。
【先行技術文献】
【特許文献】
【０００３】
【特許文献１】特開２０１５−１０９９４０号公報
【特許文献２】特開２００９−０６１２７３号公報
【発明の概要】
【発明が解決しようとする課題】
【０００４】  しかしながら、従来の電気掃除機では、寝具、カーペット等に生息しているダニやカビや細菌を除去できないという問題があった。【０００５】  本発明の目的は、寝具、カーペット等に生息しているダニやカビや細菌を除去する電気掃除機を提供することである。
【課題を解決するための手段】
【０００６】  上記目的は、本体外部の空気を本体内部に導入する空気導入手段と、前記空気導入手段によって本体内部に導入した空気を所望の温度まで暖める加熱手段と、前記加熱手段によって所望の温度まで暖めた空気を被清掃物に向けて放出する空気放出手段とを有することを特徴とする電気掃除機によって達成される。【０００７】  また、上記目的は、電気掃除機であって、電気掃除機の使用状態において、５０℃以上の温度になる場合がある熱伝導部を備え、前記熱伝導部は、電気掃除機の使用状態において、被清掃物と接触する位置に配置されることを特徴とする電気掃除機によって達成される。
【発明の効果】
【０００８】  本発明によれば、寝具、カーペット等に生息しているダニやカビや細菌を除去することができる。
【図面の簡単な説明】
【０００９】
【図１】本発明の第１の実施形態による電気掃除機１００の構成を説明する機能ブロック図である。
【図２】本発明の第１の実施形態による電気掃除機１００の構成を説明する断面状態を表した概略図である。
【図３】本発明の第２の実施形態による電気掃除機２００の構成を説明する機能ブロック図である。
【図４】本発明の第２の実施形態による電気掃除機２００の構成を説明する断面状態を表した概略図である。
【図５】本発明の第３の実施形態による電気掃除機３００の構成を説明する機能ブロック図である。
【図６】本発明の第３の実施形態による電気掃除機３００の構成を説明する断面状態を表した概略図である。
【発明を実施するための形態】
【００１０】［第１の実施の形態］
第１の実施の形態による電気掃除機１００について、図１、及び図２を用いて説明する。なお、以下の全ての図面においては、理解を容易にするため、各構成要素の寸法や比率などは適宜異ならせて図示している。
【００１１】  図１は、本実施の形態による電気掃除機１００の構成を説明する機能ブロック図である。電気掃除機１００は、使用者が電気掃除機の操作をするための操作部１０１を有している。操作部１０１は、電源部１０５、動力部１０９、１１７、空調部１１１、加熱部１２３を操作するためのユーザインターフェースを有している。なお、図中における各機能ブロックを接続する実線は、通信線等で接続されている状態を示し、図中における各機能ブロックを接続する破線は、空気が流通している状態を示している。以下、図３及び図５においても同様である。
【００１２】  制御部１０１は、電気回路を有している。当該電気回路は、通信線を介して操作部１０１のユーザインターフェースより得られた情報を取得し、当該情報に基づいて、電源部１０５、動力部１０９、１１７、空調部１１１、及び／又は加熱部１２３を制御する。また、制御部１０１は、操作部１０１のユーザインターフェースより得られた情報以外の情報（各種センサより制御部２０１に送られてくる情報等）に基づいて、電源部１０５、動力部１０９、１１７、空調部１１１、及び／又は加熱部１２３を制御する場合もある。
【００１３】  電源部１０５は、外部から得られる交流電源を所定の直流電源に変換する電源回路を有している。また、電源部１０５は、蓄電手段を有する場合があってもよい。蓄電手段は、キャパシタや２次電池等を備え、外部電源を用いない場合において、電源として用いられる。
【００１４】  空気導入部１０７は、本体外部の空気を本体内部に導入する吸気口を有している。吸気口には、塵やゴミ等が本体内部に進入しないようにするフィルタが備えられている。動力部１０９は、空気導入部１０７から本体内部に導入した空気を、空調部１１１を介して空気放出部１１３から被清掃物に向けて放出するための動力部であり、例えば、電動送風機を有している。
【００１５】  空調部１１１は、動力部１０９より送られた空気が流通する通路部に備えられている。また、空調部１１１は、動力部１０９より送られてきた空気を所望の温度にするための空気加熱手段を有している。当該空気加熱手段は、例えば、電熱線を有している。制御部１０３は、当該電熱線に所定の電流を流しジュール熱を発生させて、空調部１１１を通過する空気を所望の温度まで加熱する。ダニが死滅する温度が５０℃以上であるため、所望の温度は、５０℃以上の温度が望ましい。また、１００℃〜１４０℃程度の空気であれば、寝具やカーペット等を破損することなく効率的にダニやカビ等を死滅することができるため、所望の温度は、８０℃〜１４０℃とするのが好適である。なお、所望の温度は、吹き出し口を通過する空気の温度のことである。また、空調部１１１は、動力部１０９より送られてきた空気を除湿する除湿手段を有している。除湿手段は、例えば、シリカゲル、ゼオライト等の吸湿剤を有し、動力部１０９より送られた空気が当該吸湿剤に触れることで、動力部１０９より送られた空気を除湿する。除湿した空気を放出することで、寝具やカーペット等を乾燥させることができ、ダニやカビ等の発生を抑制することができる。また、空調部１１１は、動力部１０９より送られてきた空気をイオン化するイオン化手段を有している。イオン化手段には、例えば、コロナ放電式、電子放射式、または放射性物質利用式等を用いる。なお、空調部１１１は、加熱手段のみを有する場合があってもよいし、除湿手段のみを有する場合があってもよいし、イオン化手段のみを有する場合があってもよいし、イオン化手段を有さないで加熱手段及び除湿手段を有する場合があってもよいし、除湿手段を有さないで加熱手段及びイオン化手段を有する場合があってもよいし、加熱手段を有さないで除湿手段及びイオン化手段を有する場合があってもよい。
【００１６】  空気放出部１１３は、空調部１１１を流通した空気を被清掃物に向けて放出するための、放出口を有している。また、空気放出部１１３は、放出される空気の温度を測定するための温度センサや放出される空気の湿度を測定するための湿度センサを有する場合があってもよい。
【００１７】  加熱部１２３は、被清掃物を直接的に加熱するために用いられる。加熱部１２３は、熱源手段と当該熱源手段で発生した熱を被清掃物に伝える熱伝導手段を有している。熱源手段は、例えば、電熱線を有する場合がある。熱伝導手段は、板状の熱伝導物質を有している。当該熱伝導物質は、電気掃除機１００の使用状態において、被清掃物と接触する位置に配置されている。また、当該熱伝導物質は、室温から少なくとも５０℃以上になるように制御部１０３によって制御される。また、加熱部１２３は、当該熱伝導物質の温度を測定するための温度センサを有する場合があってもよい。また、加熱部１２３は、熱源手段を有さないで、空調部１１１の空気加熱手段や動力部１０９や動力部１１７等で発生する熱を被清掃物に伝えるように構成されていてもよい。また、当該熱伝導物質は、使用者等が誤って火傷することがないよう、最高温度が５０℃〜７０℃程度になるように制御されるのが好適であるが、それ以上の高温にすることも可能である。また、電気掃除機１００は、当該熱伝導物質が高温の場合には、使用者等が誤って火傷することがないように、注意を喚起するような報知手段を有する場合があってもよい。
【００１８】  空気排出部１１５は、本体内部の空気を本体外部に排出する排気口を有している。排気口には、塵やゴミ等が本体内部に進入しないようにするフィルタが備えられている。動力部１１７は、吸引部１２１から集塵部１１９を介して本体内部に導入した空気を、空気排出部１１５から外部に排出するための動力部であり、例えば、電動送風機を有している。集塵部１１９は、吸引部１１２より吸引したゴミやチリやダニ等を集塵する集塵室を有している。また、集塵部１１９は、ダニやカビや細菌等を死滅させるための加熱部を有する場合があってもよい。また、当該加熱部は、新たな熱源手段（例えば、電熱線）を有する場合があってもよいし、新たな熱源手段を有さないで、空調部１１１の空気加熱手段や動力部１０９や動力部１１７等で発生する熱を熱源とするように構成される場合があってもよい。
【００１９】  図２は、本実施の形態による電気掃除機１００の断面状態を表した概略図であり、図１で示した電気掃除機１００の構成の具体的な配置状態を説明するための図である。なお、図２は、制御部１０３、電源部１０５、空気導入部１０７、及び空気排出部１１５を省略している。
【００２０】  図２に示すように、操作部１０１は、略棒状の取っ手部１００ａの上端に配置されている。また、電気掃除機１００は、取っ手部１００ａの前方に本体に着脱可能とする集塵部１１９を備えている。集塵部１１９は、略直方体形状の集塵室を有している。集塵室は、円形の開口部１１９ａと当該開口部１１９ａに設けられたフィルタ１１９ｂと略長方形の開口部１１９ｃを有している。開口部１１９ｃには、集塵したゴミ等が外部に出ないようにする弁が設けられている。また、吸引部１２１は、通気路を有している。また、集塵部１１９と吸引部１２１は、当該通路部の上端と開口部１１９ｃが合わさるように、配置されている。吸引部１２１は、当該通路部の下端に吸引口１２１ａを有している。また、動力部１１７は、集塵室の開口部１１９ａに近接し、対向するように配置されている。
【００２１】  図２に示すように、電気掃除機１００は、吸引口１２１ａの略同一平面上に、空気放出部１１３の放出口１１３ａを有している。空気放出部１１３は、通気路１１４と連続するように構成されている。通気路１１４には、空調部１１１が配置されている。通気路１１４は、空調部１１３の上部に、円形の開口部１１４ａを有している。また、動力部１０９は、通気路１１４の開口部１１４ａに近接し、対向するように配置されている。また、加熱部１２３は、空気放出部１１３の後方に配置されている。なお、吸引口１２１ａと放出口１１３ａは、同一平面上に配置されていてもよいし、同一平面上とはならないように配置されていてもよい。また、動力部１１７と動力部１０９とは、遮蔽壁によって隔てられている。
【００２２】［第２の実施の形態］
第２の実施の形態による電気掃除機２００について、図３及び図４を用いて説明する。なお、図３及び図４において、第１の実施の形態による電気掃除機１００と同じ構成については、同一の符号を付して、その説明を省略する場合がある。
【００２３】  図３は、本実施の形態による電気掃除機２００の構成を説明する機能ブロック図である。電気掃除機２００は、操作部１０１、電源部１０５、制御部２０１、空気入出部２０３、動力部２０５、切り替え部２０７、空調部１１１、集塵部１１９、吸引／放出部２０９、及び加熱部１２３を有している。
【００２４】  制御部２０１は、電気回路を有している。当該電気回路は、通信線を介して操作部１０１のユーザインターフェースより得られた情報を取得し、当該情報に基づいて、電源部１０５、動力部２０５、切り替え部２０７、空調部１１１、及び／又は加熱部１２３を制御する。また、制御部２０１は、操作部１０１のユーザインターフェースより得られた情報以外の情報（例えば、各種センサより制御部２０１に送られてくる情報等）に基づいて、電源部１０５、動力部２０５、切り替え部２０７、空調部１１１、及び／又は加熱部１２３を制御する場合もある。
【００２５】  空気入出部２０３は、本体外部の空気を本体内部に導入、及び本体内部の空気を本体外部に排出する吸排気口を有している。吸排気口には、塵やゴミ等が本体内部に進入しないようにするフィルタが備えられている。動力部２０５は、吸引／放出部２０９から本体内部に導入した空気を空気入出部２０３から外部に排出するため、及び空気入出部２０３から本体内部に導入した空気を吸引／放出部２０９から被清掃物に向けて放出するための動力部であり、例えば、直流モータを有している。当該直流モータの回転軸には、複数枚のファンが備え付けられている。また、制御部２０１は、当該直流モータの回転方向を制御することで、空気の流入方向を変えている。
【００２６】  切り替え部２０７は、空気の流れる経路を決定するために用いられる。制御部２０１は、切り替え部２０７を制御することで、▲１▼空調部１１１と動力部２０５が連通し、かつ集塵部１１９と動力部２０５が遮蔽する場合と、▲２▼空調部１１１と動力部２０５が遮蔽し、かつ集塵部１１９と動力部２０５が連通する場合とが切り替わるように構成されている。また、制御部２０１は、動力部２０５の制御に併せて切り替え部２０７を制御する。
【００２７】  図４（ａ）は、本実施の形態による電気掃除機２００の集塵部１１９、通気路２１４、空調部１１１、切り替え部２０７、動力部２０５、及び吸引／放出部２０９の断面状態を表した概略図である。切り替え部２０７は、モータ２０７ａとモータ２０７ａの回転軸に備え付けられたシャッター２０７ｂを有している。シャッター２０７ｂは、集塵部１１９と動力部２０５の間に配置されている。制御部２０１は、モータ２０７ａを制御して、シャッター２０７ｂを回転させることで、空気の流れる経路が決定される。
【００２８】  図４（ｂ）〜（ｄ）を用いて、切り替え部２０７の構成をより具体的に説明する。図４（ｂ）は、集塵部１１９及び通路部２１４を動力部２０５から見た正面図である。集塵部１１９に設けられた開口部１１９ａの右下方に通路部２１４に設けられた開口部２１４ａが配置されている。図４（ｃ）は、▲１▼空調部１１１と動力部２０５が連通し、かつ集塵部１１９と動力部２０５が遮蔽している状態を示している。シャッター２０７ｂは、開口部１１９ａと同じ大きさとなる円形状の開口部ｂ１を有している。また、集塵部１１９の壁面には、ストッパー２０７ｃ１、２０７ｃ２が備え付けられている。シャッター２０７ｂがストッパー２０７ｃ２に接触している状態では、シャッター２０７ｂの開口部ｂ１と集塵部１１９の開口部１１９ａがぴったり重なり合う位置になり、通路部２１４の開口部２１４ａは、シャッター２０７ｂによって遮蔽されている。図４（ｄ）は、▲２▼空調部１１１と動力部２０５が遮蔽し、かつ集塵部１１９と動力部２０５が連通している状態を示している。シャッター２０７ｂがストッパー２０７ｃ１に接触している状態では、集塵部１１９の開口部１１９ａは、シャッター２０７ｂに遮蔽され、通路部２１４の開口部２１４ａは、シャッター２０７ｂによって遮蔽されていない。
【００２９】［第３の実施の形態］
第３の実施の形態による電気掃除機３００について、図５及び図６を用いて説明する。なお、図５及び図６において、第１の実施の形態による電気掃除機１００と同じ構成については、同一の符号を付して、その説明を省略する場合がある。
【００３０】  図５は、本実施の形態による電気掃除機２００の構成を説明する機能ブロック図である。電気掃除機３００は、操作部１０１、電源部１０５、制御部３０１、空気排出部１１５、動力部１１７、空調部１１１、集塵部１１９、空気放出部１１３、吸引部１２１、及び加熱部１２３を有している。
【００３１】  制御部３０１は、電気回路を有している。当該電気回路は、通信線を介して操作部１０１のユーザインターフェースより得られた情報を取得し、当該情報に基づいて、電源部１０５、動力部１１７、空調部１１１、及び／又は加熱部１２３を制御する。また、制御部３０１は、操作部１０１のユーザインターフェースより得られた情報以外の情報（例えば、各種センサより制御部３０１に送られてくる情報等）に基づいて、電源部１０５、動力部１１７、空調部１１１及び／又は加熱部１２３を制御する場合もある。
【００３２】  動力部１１７は、吸引部１２１から本体内部に導入した空気の一部を、空気排出部１１５を介して外部に排出するため、及び吸引部１２１から本体内部に導入した空気の他の一部を、空調部１１１を介して空気放出部１１３から被清掃物に向けて放出するための動力部である。
【００３３】  このように、電気掃除機３００は、集塵部１１９から動力部１１７に流入する空気の一部を、空調部１１１を介して空気放出部１１３から被清掃物に向けて放出するように構成されている。
【００３４】  図６は、本実施の形態による電気掃除機３００の断面状態を表した概略図であり、図５で示した電気掃除機１００の構成の具体的な配置状態を説明するための図である。なお、図６は、制御部１０３、電源部１０５、空気導入部１０７、及び空気排出部１１５を省略している。
【００３５】  図６に示すように、電気掃除機３００は、動力部１１７から排出される空気の一部を通気路１１４へ誘導するための空気誘導物３００ｂを有している。また、電気掃除機３００は、空気排出部１１５の排出口を比較的小さくして空気放出部１１３の開口部１１３ａを比較的大きくすることで、空気放出部１１３から被清掃物に向けて放出される空気の量を比較的多くすることが可能となる。また、電気掃除機３００は、空気排出部１１５を有さない場合があってもよい。また、電気掃除機３００は、使用状況に応じて空気放出部１１３から空気を放出しないようにするために、通気路１１４の開口部１１４ａに開閉可能とするシャターを設けてもよい。
【００３６】  上述の各実施の形態を説明するために、ハンディタイプの電気掃除機を一例にあげているが、ハンディタイプ以外のあらゆるタイプ（例えば、ロボットタイプ等）の電気掃除機にも勿論適用できる。また、上述の各実施の形態は、本発明の好適な一例であるので、技術的に好ましい種々の限定が付されているが、本発明の範囲は、上述の説明によって不当に限定されるものではない。また、上述の各実施の形態で説明される構成の全てが本発明の必須の構成要件ではない。また、上述の各実施の形態で説明される構成の全ては、必要に応じて適宜組み合わせて構成することができる。
【産業上の利用可能性】
【００３７】  本発明は、あらゆるタイプの電気掃除機において広く利用可能である。
【符号の説明】
【００３８】１００、２００、３００  電気掃除機
１０１  操作部
１０３、２０１、３０１  制御部
１０５  電源部
１０７  空気導入部
１０９、１１７、２０５  動力部
１１１  空調部
１１３  空気放出部
１１４、２１４  通気路
１１５  空気排出部
１１９  集塵室
１２１  吸引部
１２３  加熱部
２０３  空気入出部
２０７  切り替え部
２０９  吸引／放出部
【図１】
2017070691.tif 000003
【図２】
2017070691.tif 000004
【図３】
2017070691.tif 000005
【図４】
2017070691.tif 000006
【図５】
2017070691.tif 000007
【図６】
2017070691.tif 000008